(57)【要約】近接無線電源部（１２３）は、携帯端末（２００）から送信される近接無線通信の電波によって起動する。近接無線メモリ（１２１）は、近接無線電源部（１２３）から供給される電力によって駆動し、通信装置（１００）の動作コマンドを記憶する。制御部（１１１）は、主電源部（１１２）から供給される電力によって駆動し、近接無線メモリ（１２１）から動作コマンドを読み出して実行する。主電源部（１１２）は、近接無線通信部（１２２）により受信された信号に基づいて起動し、制御部（１１１）に電力を供給する。近接無線通信部（１２２）は、携帯端末（２００）から送信された動作コマンドを受信し、近接無線メモリ（１２１）に書き込む。
2014057634.tif 000002
【特許請求の範囲】
【請求項１】
携帯端末と通信可能に構成された通信装置であって、
前記携帯端末から送信される近接無線通信の電波によって起動する近接無線電源部と、
前記近接無線電源部から供給される電力によって駆動し、前記通信装置の動作コマンドを記憶する不揮発性メモリと、
前記近接無線電源部から供給される電力によって駆動し、前記携帯端末と近接無線通信を行う近接無線通信部と、
前記近接無線通信部により受信された信号に基づいて起動する主電源部と、
前記主電源部から供給される電力によって駆動し、前記不揮発性メモリから前記動作コマンドを読み出して実行する制御部とを備え、
前記近接無線通信部は、前記携帯端末から送信された前記動作コマンドを前記不揮発性メモリに書き込む通信装置。
【請求項２】
前記近接無線通信よりも高速な高速無線通信を用いて前記携帯端末と通信する高速無線通信部を更に備え、
前記高速無線通信部は、子機となる前記携帯端末からの接続を前記通信装置が受け付ける親機モードと、親機となる前記携帯端末に前記通信装置を接続させる子機モードとのいずれかの通信モードで動作可能であり、
前記制御部は、前記不揮発性メモリに書き込まれた動作コマンドに基づき、前記高速無線通信部を前記親機モード又は前記子機モードで動作させるかを判定する請求項１記載の通信装置。
【請求項３】
前記制御部は、前記通信装置を前記親機モードで動作させる場合の第１接続先識別子を、前記不揮発性メモリに予め書き込む請求項２記載の通信装置。
【請求項４】
前記近接無線通信部は、前記携帯端末が前記高速無線通信の中継器に接続されていない場合、前記携帯端末から前記親機モードを示す通信モード情報を含む動作コマンドを受信して前記不揮発性メモリに書き込み、前記携帯端末が前記中継器に接続されている場合、前記携帯端末から前記子機モードを示す通信モード情報を含む動作コマンドを受信して、前記不揮発性メモリに書き込み、
前記制御部は、前記通信モード情報が前記親機モードを示す場合、前記高速無線通信部を前記親機モードで動作させ、前記通信モード情報が前記子機モードを示す場合、前記高速無線通信部を子機モードで動作させる請求項２又は３記載の通信装置。
【請求項５】
前記近接無線通信部は、前記携帯端末が前記高速無線通信の中継器に接続されている場合、前記携帯端末から前記中継器を接続先とする第２接続先識別子を受信して、前記動作コマンドとして前記不揮発性メモリに書き込み、
前記制御部は、前記第２接続先識別子が前記不揮発性メモリに書き込まれていない場合、前記高速無線通信部を前記親機モードで動作させ、前記第２接続先識別子が前記不揮発性メモリに書き込まれた場合、前記高速無線通信部を子機モードで動作させる請求項２又は３記載の通信装置。
【請求項６】
前記制御部は、前記主電源部が起動した後、前記不揮発性メモリから前記動作コマンドを読み出して、前記高速無線通信部の通信モードを切り替える請求項２〜５のいずれかに記載の通信装置。
【請求項７】
前記近接無線通信部は、前記主電源部が起動する前に前記動作コマンドを前記不揮発性メモリに書き込み、
前記制御部は、前記主電源部が起動した後に前記不揮発性メモリから前記動作コマンドを読み出す請求項１〜６のいずれかに記載の通信装置。
【請求項８】
携帯端末と、前記携帯端末に対して通信可能に構成された通信装置とを備える通信システムであって、
前記携帯端末は、
前記携帯端末から送信される近接無線通信の電波によって起動する近接無線電源部と、
前記近接無線電源部から供給される電力によって駆動し、前記通信装置の動作コマンドを記憶する不揮発性メモリと、
前記近接無線電源部から供給される電力によって駆動し、前記携帯端末と近接無線通信を行う近接無線通信部と、
前記近接無線通信部により受信された信号に基づいて起動する主電源部と、
前記主電源部から供給される電力によって駆動し、前記不揮発性メモリから前記動作コマンドを読み出して実行する制御部とを備え、
前記近接無線通信部は、前記携帯端末から送信された前記動作コマンドを前記不揮発性メモリに書き込む通信システム。
【請求項９】
通信装置と通信可能に構成された携帯端末であって、
前記通信装置と近接無線通信を行う近接無線通信部と、
前記近接無線通信よりも高速である高速無線通信を行う高速無線通信部と、
前記高速無線通信の中継器に前記携帯端末が接続されている場合、親機となる前記携帯端末に前記通信装置を接続させる子機モードを示す動作コマンドを、前記近接無線通信部を介して前記通信装置に送信し、前記通信装置が備える不揮発性メモリに前記動作コマンドを書き込ませる制御部とを備える携帯端末。
【請求項１０】
通信装置と通信可能に構成された携帯端末であって、
前記通信装置と近接無線通信を行う近接無線通信部と、
前記近接無線通信よりも高速である高速無線通信を行う高速無線通信部と、
前記通信装置の不揮発性メモリに動作コマンドとして記憶された前記通信装置の状態を示す状態情報を前記近接無線通信部を介して読み出す制御部と、
前記制御部により読み出された状態情報に基づいて、前記通信装置と前記高速無線通信を用いて連携して実行されるアプリケーションソフトウェアを前記制御部に実行させるアプリケーションモード切替部とを備える携帯端末。
【請求項１１】
通信装置と通信可能に構成された携帯端末としてコンピュータを機能させるプログラムであって、
前記通信装置と近接無線通信を行う近接無線通信部と、
前記近接無線通信よりも高速である高速無線通信を行う高速無線通信部と、
前記高速無線通信の中継器に前記携帯端末が接続されている場合、親機となる前記携帯端末に前記通信装置を接続させる子機モードを示す動作コマンド及び前記中継器を接続先とする接続先識別子を、前記近接無線通信部を介して前記通信装置に送信し、前記通信装置が備える不揮発性メモリに前記接続先識別子を前記動作コマンド及び前記接続先識別子を書き込ませる制御部としてコンピュータを機能させるプログラム。
【請求項１２】
携帯端末と通信可能に構成され、前記携帯端末にプログラムを送信するサーバであって、
前記プログラムは、請求項１１記載のプログラムであるサーバ。
【発明の詳細な説明】
【技術分野】
【０００１】
本発明は、携帯端末と通信装置とが近接無線通信を用いて通信する技術に関するものである。
【背景技術】
【０００２】
近年、通信装置同士を無線ＬＡＮで接続する際に必要となる設定データの設定作業の簡便化を図るために、近接無線通信により他の通信装置から設定データを取得し、取得した設定データを用いて他の通信装置と無線ＬＡＮによる無線接続を行う通信装置が提案されている（例えば、特許文献１）。【０００３】
そして、特許文献１では、通信装置を無線接続させる都度、通信装置を他の通信装置にかざす動作（タッチ）をユーザに課すことを防止することを目的として、下記の技術が開示されている。すなわち、他の通信装置との無線接続が切断される前に、設定データを記憶部に記憶させ、再度、他の通信装置と無線接続を行う場合、記憶部に記憶されている設定データを用いて他の無線装置と無線接続を行う。【０００４】
しかしながら、特許文献１では、単に、無線ＬＡＮによる設定データを記憶部に書き込むことが行われているにすぎず、それ以外のデータを記憶部に書き込むことは行われていない。そのため、記憶部に書き込んだデータにしたがって通信装置同士を連携させ、種々のサービスをユーザに提供することはできないという問題がある。
【先行技術文献】
【特許文献】
【０００５】
【特許文献１】特開２００８−２７１１５０号公報
【発明の概要】
【０００６】
本発明の目的は、携帯端末を通信装置に少ない回数かざすだけで、携帯端末と通信装置とを連携させ、種々のサービスをユーザに提供することができる技術を提供することである。
【０００７】
本発明の一態様による通信装置は、携帯端末と通信可能に構成された通信装置であって、前記携帯端末から送信される近接無線通信の電波によって起動する近接無線電源部と、前記近接無線電源部から供給される電力によって駆動し、前記通信装置の動作コマンドを記憶する不揮発性メモリと、前記近接無線電源部から供給される電力によって駆動し、前記携帯端末と近接無線通信を行う近接無線通信部と、前記近接無線通信部により受信された信号に基づいて起動する主電源部と、前記主電源部から供給される電力によって駆動し、前記不揮発性メモリから前記動作コマンドを読み出して実行する制御部とを備え、前記近接無線通信部は、前記携帯端末から送信された前記動作コマンドを前記不揮発性メモリに書き込む。
【図面の簡単な説明】
【０００８】
【図１】本発明の実施の形態１による通信システムに適用される通信装置のブロック図である。
【図２】本発明の実施の形態１による通信システムに適用される携帯端末のブロック図である。
【図３】本発明の実施の形態１において、近接無線メモリが記憶するデータの構成図である。
【図４】本発明の実施の形態１による通信システムの動作を示すシーケンス図である。
【図５】本発明の実施の形態２による通信システムの動作の概要を説明する図である。
【図６】本発明の実施の形態２の通信システムに適用される通信装置のブロック図である。
【図７】本発明の実施の形態２の通信システムに適用される携帯端末のブロック図である。
【図８】本発明の実施の形態２において、近接無線メモリが記憶するデータの構成図である。
【図９】本発明の実施の形態２において、制御部が機器ＳＳＩＤを近接無線メモリに予め書き込む際の処理を示すシーケンス図である。
【図１０】本発明の実施の形態２の通信システムが高速無線通信を行うまでに実行される近接無線通信の処理を示すシーケンス図である。
【図１１】携帯端末が親機モード処理を実行する際の通信システムの処理を示すシーケンス図である。
【図１２】携帯端末が子機モード処理を実行する際の通信システムの処理を示すシーケンス図である。
【図１３】本発明の実施の形態１において、通信装置及び携帯端末間の無線ＬＡＮによる接続が完了した後の通信システムの処理を示すシーケンス図である。
【図１４】本発明の実施の形態３による通信システムの動作の概要を説明する図である。
【図１５】本発明の実施の形態３の通信システムに適用される通信装置のブロック図である。
【図１６】本発明の実施の形態３の通信システムに適用される携帯端末のブロック図である。
【図１７】本発明の実施の形態３において、近接無線メモリが記憶するデータの構成図である。
【図１８】本発明の実施の形態３において、通信装置がスリープ状態に遷移する際の処理を示すフローチャートである。
【図１９】本発明の実施の形態３の通信システムの動作を示すシーケンス図である。
【図２０】本発明の実施の形態４による通信システムの全体構成図である。
【発明を実施するための形態】
【０００９】
（実施の形態１）
図１は、本発明の実施の形態１による通信システムに適用される通信装置１００のブロック図である。本実施の形態の通信システムは、近接無線通信及び高速無線通信の両方を用いて通信可能に構成された通信装置１００及び携帯端末２００を備えている。この通信装置１００は、例えば電気機器に通信モジュールが搭載されて通信装置とされている。電気機器としては、洗濯機、炊飯器、エアコン、冷蔵庫、電子レンジ、オーブン、照明器具等のホームアプライアンスを採用してもよいし、デジタルカメラ、テレビ、ブルーレイレコーダ、ビデオレコーダ、ＤＶＤレコーダ等のＡＶ機器を採用してもよい。
【００１０】
通信装置１００は、システム部１１０及び近接通信部１２０を含む。近接通信部１２０は、例えば、ＲＦＩＤ（Radio Frequency Identification）タグにより構成され、近接無線メモリ１２１（不揮発性メモリの一例）、近接無線通信部１２２、及び近接無線電源部１２３を含む。近接無線メモリ１２１は、ＦｅＲＡＭ（Ferroelectric Random Access Memory）、フラッシュＲＯＭ、ＥＥＰＲＯＭ（Electrically Erasable Programmable Read-Only Memory）、或いはＥＰＲＯＭ（Erasable Programmable Read Only Memory）等の書き換え可能な不揮発性メモリにより構成されている。そして、近接無線メモリ１２１は、近接無線電源部１２３から供給される電力によって駆動し、通信装置１００の動作コマンドを記憶する。
【００１１】
ここで、動作コマンドとしては、通信装置１００を動作させるためのコマンドであり、１つのコマンド又は複数のコマンドにより構成される。例えば、通信装置１００がデジタルカメラであれば、デジタルカメラを起動させたり、撮影モードや再生モードといった動作モードを指定したりするコマンドが動作コマンドとして採用される。また、通信装置１００が炊飯器、電子レンジ、或いはオーブン等の調理器具であれば、調理開始時刻、調理終了時刻や、調理モードを指定するコマンドが動作コマンドとして採用される。また、通信装置１００がブルーレイレコーダ、ビデオレコーダ、或いはＤＶＤレコーダであれば、録画開始時刻、録画終了時刻、録画番組、録画モードといったコマンドが動作コマンドとして採用される。その他、動作コマンドとしては、通信装置１００を構成する電気機器の種類に応じたコマンドを適宜採用すればよい。
【００１２】
近接無線通信部１２２は、アンテナ１２４を含み、近接無線電源部１２３から供給される電力によって駆動し、携帯端末２００と近接無線通信を行う。また、近接無線通信部１２２は、携帯端末２００から送信された動作コマンドをアンテナ１２４を介して受信し、近接無線メモリ１２１に書き込む。また、近接無線通信部１２２は、アンテナ１２４により電波が受信されると、その電波を復調して信号を取り出してその信号を受信すると共に、送信対象となる信号を変調し、電波としてアンテナ１２４から送信させる。
【００１３】
近接無線通信としては、例えばＮＦＣ(Near Field Communication)が採用される。近年、スマートフォンやタブレット端末等の登場によって携帯端末２００は高機能化が進んでおり、このような携帯端末２００は、近接無線通信の機能を備えていることが一般的である。そこで、電気機器に近接通信部１２０を搭載して通信装置１００を構成し、携帯端末２００と通信させている。
【００１４】
ここで、近接無線通信部１２２は、主電源部１１２が起動する前に動作コマンドを近接無線メモリ１２１に書き込むことが好ましい。これにより、通信装置１００が主電源部１１２からの電力供給を受けて起動するのを待たずに、携帯端末２００は、近接無線メモリ１２１に動作コマンドを書き込むことができ、動作コマンドの入力期間を短縮することができる。
【００１５】
近接無線電源部１２３は、例えば、近接通信部１２０を構成する各ブロックに電力を供給する電池を含み、携帯端末２００から送信される近接無線通信の電波によって起動し、近接無線通信部１２２に電力を供給する。ここで、近接無線電源部１２３は、アンテナ１２４により電波が受信されると、近接無線通信部１２２に電力供給を開始する。電池としては、充放電可能な二次電池を採用してもよいし、放電のみ可能な一次電池を採用してもよい。
【００１６】
アンテナ１２４は、近接無線通信部１２２から送信信号が供給されて、その送信信号を電波として外部空間に送信すると共に、携帯端末２００から送信される電波を受信して近接無線通信部１２２に供給する。
【００１７】
システム部１１０は、制御部１１１及び主電源部１１２を含む。制御部１１１は、例えば、マイクロコントローラにより構成され、主電源部１１２から供給される電力によって駆動し、近接無線メモリ１２１から動作コマンドを読み出して実行する。また、制御部１１１は、通信装置１００を構成する電気機器を制御するためのファームウェアを予め記憶しており、そのファームウェアを実行して電気機器の全体制御を司る。
【００１８】
ここで、制御部１１１は、主電源部１１２が起動した後に近接無線メモリ１２１から動作コマンドを読み出すことが好ましい。これにより、制御部１１１は主電源部１１２からの電力供給を受けて動作コマンドを実行することができ、バックアップ用の電源の無駄な消費を抑制することができる。
【００１９】
主電源部１１２は、例えば、コンセントから供給される家庭用の電力を電気機器の駆動に適した電力に変換する電源回路等を含む。そして、主電源部１１２は、近接無線通信部１２２により受信された信号に基づいて起動し、制御部１１１を含むシステム部１１０を構成する各ブロックに電力を供給する。なお、通信装置１００が携帯型の機器で構成される場合は、主電源部１１２を二次電池や一次電池で構成すればよい。
【００２０】
ここで、主電源部１１２は、例えば、以下のようにして起動される。近接無線通信部１２２は、通信装置１００から起動信号を受信すると、制御部１１１に割り込みを出力する。そして、制御部１１１は、割り込みが出力されると、通信装置１００がスリープ状態又はオフ状態であるか否かを判定し、スリープ状態又はオフ状態にあれば、主電源部１１２を起動させる。ここで、通信装置１００がスリープ状態又はオフ状態であっても制御部１１１が駆動できるように、システム部１１０にバックアップ用の電源を設ければよい。バックアップ用の電源としては、一次電池や二次電池を採用すればよい。なお、通信装置１００が起動状態にあれば、主電源部１１２を起動させる必要がないため、制御部１１１は主電源部１１２を起動させない。なお、起動状態は、家電機器の電源がオンの状態であって、スリープ状態ではない場合を指す。
【００２１】
図２は、本発明の実施の形態１による通信システムに適用される携帯端末２００のブロック図である。携帯端末２００は、例えば、スマートフォンやタブレット端末といったタッチパネル式の携帯端末により構成されている。ただし、これに限定されず、携帯端末２００として、ボタン式携帯電話、ＰＤＡ（Personal Digital Assistant）を採用してもよい。携帯端末２００は、システム部２１０及び近接通信部２２０を含む。システム部２１０は、制御部２１１、主電源部２１２、操作部２１３、及び表示部２１４を含む。
【００２２】
制御部２１１は、例えば、オペレーティングシステムを実行するマイクロコントローラにより構成され、携帯端末２００の全体制御を司る。主電源部２１２は、例えば二次電池を含む電池パックにより構成され、携帯端末２００を構成する各ブロックに電力を供給する。
【００２３】
操作部２１３は、例えばタッチパネルや操作ボタンにより構成され、ユーザからの操作を受け付ける。表示部２１４は、例えば、タッチパネルを備える液晶パネル等の表示装置により構成され、制御部２１１の制御の下、種々の画像を表示する。
【００２４】
近接通信部２２０は、例えば、ＲＦＩＤリーダライタにより構成され、近接無線通信部２２１を含み、通信装置１００と近接無線通信を行う。近接無線通信部２２１は、アンテナ２２２を含み、アンテナ２２２により受信された電波を復調して信号を取り出し、制御部２１１に供給すると共に、送信対象の信号を変調して、電波としてアンテナ２２２から送信させる。
【００２５】
アンテナ２２２は、通信装置１００から送信された電波を受信して近接無線通信部２２１に供給すると共に、近接無線通信部２２１により変調された信号を電波として送信する。
【００２６】
図３は、本発明の実施の形態１において、近接無線メモリ１２１が記憶するデータの構成図である。近接無線メモリ１２１は、コンフィグ情報４１０、機器情報４２０、及び機器制御情報４３０を記憶する。
【００２７】
コンフィグ情報４１０は、通信装置１００を構成する近接通信部１２０の固有の情報である。コンフィグ情報には、タグ識別情報が含まれている。タグ識別情報は、近接通信部１２０を一意に特定するための識別情報であり、例えば、近接通信部１２０のシリアル番号が採用される。
【００２８】
機器情報４２０は、通信装置１００を構成する電気機器に関する情報である。機器情報４２０には、機器品番情報及び機器識別情報が含まれる。機器品番情報は、通信装置１００を構成する電気機器の品番を示す情報である。ここで、品番は、商品管理上、電気機器を形状や色の異なる他の電気機器と区別するための番号である。機器識別情報は、通信装置１００を構成する電気機器を一意に特定するための識別情報であり、例えば、電気機器のシリアル番号が採用される。
【００２９】
機器制御情報４３０は、通信装置１００を構成する電気機器の制御に関する情報である。機器制御情報４３０には、動作コマンドが含まれる。
【００３０】
ここで、コンフィグ情報４１０は、近接無線メモリ１２１に予め記憶されている。機器情報４２０は、通信装置１００を構成するシステム部１１０から提供され、近接無線通信部１２２によって書き込まれる。機器制御情報４３０は、携帯端末２００から近接無線通信によって送信され、近接無線通信部１２２によって書き込まれる。
【００３１】
図４は、本発明の実施の形態１による通信システムの動作を示すシーケンス図である。まず、携帯端末２００は、通信装置１００を遠隔操作するためのアプリケーションソフトウェアを起動する（Ｓ３０１）。次に、携帯端末２００は、ユーザに動作コマンドを入力させる（Ｓ３０２）。動作コマンドの入力が終了すると、携帯端末２００は近接通信部１２０にかざされる（近接される。タッチされる）。
【００３２】
次に、携帯端末２００は、近接無線通信を用いてポーリング信号の送信を開始する（Ｓ３０３）。次に、通信装置１００の近接通信部１２０は、ポーリング信号を受信すると（Ｓ３２１）、ポーリング応答を送信する（Ｓ３２２）。次に、携帯端末２００は、ポーリング応答を受信する（Ｓ３０４）。
【００３３】
次に、携帯端末２００は、近接無線メモリ１２１に記憶された機器情報４２０を読み出すための読出信号を近接通信部１２０に送信する（Ｓ３０５）。次に、近接通信部１２０は、読出信号を受信し（Ｓ３２３）、近接無線メモリ１２１から機器情報４２０を読み出して送信する（Ｓ３２４）。
【００３４】
次に、携帯端末２００は、近接通信部１２０から送信された機器情報４２０を受信する（Ｓ３０６）。これにより、携帯端末２００は、機器情報４２０に含まれる機器品番情報から、該当する通信装置１００がＳ３０１で起動したアプリケーションソフトウェアによって遠隔操作することができる通信装置であるか否かを判定することができる。
【００３５】
次に、携帯端末２００は、Ｓ３０２で入力された動作コマンドを近接通信部１２０に送信する（Ｓ３０７）。次に、近接通信部１２０は、動作コマンドを受信し、近接無線メモリ１２１に書き込む（Ｓ３２５）。
【００３６】
次に、携帯端末２００は、近接通信部１２０に通信装置１００の起動信号を送信する（Ｓ３０８）。次に、近接通信部１２０は、起動信号を受信する（Ｓ３２６）。
【００３７】
次に、携帯端末２００は、通信装置１００の近接通信部１２０へかざすことを終了（タッチを解除）してもよいことをユーザに報知する（Ｓ３０９）。この場合、携帯端末２００は、効果音を出力したり、タッチを解除してよいことを示す情報を表示部に表示したりすることで、タッチの解除をユーザに報知すればよい。これにより、携帯端末２００を近接通信部１２０から離してよいことをユーザに認識させることができる。
【００３８】
次に、近接通信部１２０は、割り込みをシステム部１１０に出力する（Ｓ３２７）。次に、システム部１１０の制御部１１１は、割り込みを取得し（Ｓ３４１）、主電源部１１２を起動させ、通信装置１００の起動を開始させる（Ｓ３４２）。次に、通信装置１００の起動が完了すると（Ｓ３４３）、制御部１１１は、近接無線メモリ１２１から動作コマンドを読み出す（Ｓ３４４）。次に、制御部１１１は、動作コマンドにしたがって通信装置１００を動作させる（Ｓ３４５）。
【００３９】
このように、実施の形態１の通信システムによれば、携帯端末２００から近接無線通信の電波が送信されると、近接無線電源部１２３が起動され、近接無線電源部１２３からの電力によって近接無線通信部１２２が駆動され、携帯端末２００から送信された動作コマンドが近接無線メモリ１２１に書き込まれる。よって、通信装置１００がスリープ状態やオフ状態にあっても、ユーザは携帯端末２００を操作して動作コマンドを通信装置１００に書き込むことができる。
【００４０】
そして、動作コマンドが書き込まれると、主電源部２１２が起動され、動作コマンドにしたがって通信装置１００が動作する。これにより、ユーザは、携帯端末２００に動作コマンドを入力し、携帯端末２００を通信装置１００の近接通信部１２０に一度かざす（ワンタッチ）させるだけで、通信装置１００を動作させることができる。
【００４１】
また、動作コマンドの書き込みが終了すると、後はシステム部１１０内で通信装置１００の起動処理が行われる。そのため、動作コマンドを入力してから動作コマンドが送信されるまでの期間だけユーザは携帯端末２００を通信装置１００にかざして（近接させて）いればよく、動作コマンドを入力してから通信装置１００の起動が完了するまでの期間、ユーザは携帯端末２００を通信装置１００にかざしておく必要はない。したがって、携帯端末２００を通信装置１００にかざす（近接させる）期間が短縮され、一度かざすことで通信装置１００を操作できるという従来にはない操作感をユーザに付与することができ、通信装置１００への操作性を向上させることができる。
【００４２】
なお、図４では、携帯端末２００はＳ３０８で起動信号を近接通信部１２０に送信したが、この処理を省いてもよい。この場合、近接通信部１２０は、携帯端末２００から送信される動作コマンドの受信をトリガーに割り込みをシステム部１１０に出力し、通信装置１００を起動させてもよい。
【００４３】
また、図４では、動作コマンドを入力するＳ３０２の処理はＳ３０１の次に設けられたが、これに限定されない。例えば、Ｓ３０３〜Ｓ３０７の処理の実行中に動作コマンドは入力されてもよい。
【００４４】
次に、実施の形態１の具体例について説明する。まず、具体例として、通信装置１００を炊飯器で構成した場合を説明する。Ｓ３０２において、ユーザは、動作コマンドとして、白ごはん、炊き込みごはん、おかゆといった調理モードを指定する調理コマンドと、調理開始時刻を指定する時刻指定コマンドとを入力する。すると、Ｓ３２５において、これらのコマンドが近接無線メモリ１２１に書き込まれる。これにより、炊飯器はスリープ状態又はオフ状態において調理コマンド及び時刻指定コマンドが近接無線メモリ１２１に書き込まれる。そして、炊飯器は、起動信号を受けて起動が完了すると、近接無線メモリ１２１から調理コマンド及び時刻指定コマンドを読み出し（Ｓ３４４）、調理モード、調理開始時刻を設定した後、オフ状態になる。そして、調理開始時刻が到来すると、炊飯器は、設定した調理モードで起動して、調理を開始する。
【００４５】
次に、通信装置１００をブルーレイレコーダで構成した場合について説明する。Ｓ３０２において、ユーザは、動作コマンドとして、火曜日の時刻ｔ１〜時刻ｔ２において番組Ａを録画するといった予約録画コマンドを入力する。すると、Ｓ３２５において、これらのコマンドが近接無線メモリ１２１に書き込まれる。これにより、ブルーレイレコーダはスリープ状態又はオフ状態において、予約録画コマンドが近接無線メモリ１２１に書き込まれる。そして、ブルーレイレコーダは、起動信号を受けて起動が完了すると、近接無線メモリ１２１から予約録画コマンドを読み出し（Ｓ３４４）、録画曜日、録画開始時刻、録画終了時刻、及び録画番組の予約を受け付け、電源をオフする。そして、録画曜日の録画開始時刻が到来すると、起動して番組の録画を開始し、録画終了時刻が到来すると録画を終了して電源をオフする。
【００４６】
ブルーレイレコーダのようなＯＳが搭載された機器は起動時にＯＳを読み込む必要があるため、起動時間がかかるが、本実施の形態では、起動する前に近接無線メモリ１２１に予約録画コマンドが書き込まれている。したがって、ユーザは、近接無線通信により予約録画コマンドをブルーレイレコーダに送信しさえすれば、後はブルーレイレコーダが自動的に起動されて予約録画コマンドが受け付けられる。そのため、ユーザはブルーレイレコーダが起動した後、ＯＳの読み込みが終了して予約録画コマンドが受け付けられるのを待たずに、ブルーレイレコーダに録画番組の予約を完了することができる。したがって、ユーザは、予約録画コマンドのブルーレイレコーダへの送信が完了すると、直ちに、ブルーレイレコーダが設置されている部屋から外出することができる。よって、ユーザは非常に短時間に番組予約を行うことができる。
【００４７】
なお、動作コマンドとしては、複数のコマンドから構成されるコマンド群を採用してもよい。例えば、火曜日の時刻ｔ１〜時刻ｔ２に番組Ａを録画するという予約録画コマンドと、土曜日の時刻ｔ３〜時刻ｔ４に番組Ｂを録画するという予約録画コマンドとをユーザは携帯端末２００に一度に入力し、ブルーレイレコーダに一度に送信してもよい。こうすることで、複数の予約録画コマンドを一度にブルーレイレコーダに送信することができ、ユーザの手間を軽減することができる。
【００４８】
或いは、まず、手順Ｋ１、次に手順Ｋ２、次に手順Ｋ３を通信装置１００に実行させるようなコマンド群を動作コマンドとしてユーザは入力してもよい。
【００４９】
（実施の形態２）
図５は、本発明の実施の形態２による通信システムの動作の概要を説明する図である。本実施の形態において、実施の形態１と同じものは同じ符号を付し、説明を省略する。本実施の形態において、通信装置１００は親機モードと子機モードとのいずれかのモードで動作する。親機モードは、通信装置１００が親機となって、子機となる携帯端末２００からの高速無線通信の接続を受け付けるモードである。子機モードは、携帯端末２００が親機となり、子機である通信装置１００から高速無線通信の接続を受け付けるモードである。
【００５０】
図５に示すように、親機モードでは、携帯端末２００が通信装置１００に近接（タッチ）されると（Ｓ５０１）、通信装置１００は、自身が接続先となる高速無線通信の接続先識別子を携帯端末２００に通知する。携帯端末２００は、通知された高速無線通信の接続先識別子に基づいて、接続先である通信装置１００に接続する（Ｓ５０２）。
【００５１】
一方、子機モードでは、携帯端末２００が通信装置１００に近接（タッチ）されると（Ｓ５１１）、携帯端末２００は、現在、高速無線通信により接続している中継器３００の接続先識別子を通信装置１００に通知する。通信装置１００は、通知された中継器３００の接続先識別子に基づいて、高速無線通信で中継器３００に接続する。これにより、携帯端末２００は、中継器３００を介して高速無線通信で通信装置１００と通信する（Ｓ５１２）。
【００５２】
携帯端末２００は、中継器３００と接続されていない場合において親機に設定されると、テザリング機能を実行して通信装置１００のネットワークアダプタとして機能することになる。現状の携帯端末の規格において、携帯端末２００にテザリング機能を実行させた場合、携帯端末２００はデータを中継することのみが許可され、外部装置を制御するような機能は制限されている。そこで、本実施の形態では、携帯端末２００が中継器３００に接続されていない場合であっても、携帯端末２００が高速無線通信を用いて通信装置１００を制御できるように、携帯端末２００を子機に設定している。
【００５３】
図６は、本発明の実施の形態２の通信システムに適用される通信装置１００のブロック図である。本実施の形態では、通信装置１００としてデジタルカメラが採用されている。通信装置１００は、図１の構成に加えて、更に高速無線通信部１３０を備えている。
【００５４】
高速無線通信部１３０は、高速無線通信を用いて通信装置１００を通信させる通信モジュールにより構成される。本実施の形態では、高速無線通信としては、近接無線通信よりも高速な無線通信を採用することができ、例えば、ＷｉＦｉ（登録商標）の通信規格に準拠した無線ＬＡＮが採用される。高速無線通信部１３０は、子機となる携帯端末２００からの接続を通信装置１００が受け付ける親機モードと、親機となる携帯端末２００に通信装置１００を接続させる子機モードとのいずれかの通信モードで動作可能である。
【００５５】
そして、高速無線通信部１３０は、通信制御部１３１、アンテナ１３２、及び通信情報記憶部１３３を備えている。
【００５６】
通信制御部１３１は、送信対象となる信号を無線ＬＡＮの通信規格に準拠した変調方式で変調し、アンテナ１３２から電波として出力させる。また、通信制御部１３１は、アンテナ１３２により受信された電波を復調して信号を取り出す。
【００５７】
アンテナ１３２は、無線ＬＡＮのアンテナにより構成される。通信情報記憶部１３３は、無線ＬＡＮの通信に必要な通信情報を記憶する。通信情報としては、例えば、通信装置１００が接続先となる際の接続先識別子や、携帯端末２００が通信装置１００を接続する際に要求されるパスワードが含まれる。なお、接続先識別子としては、無線ＬＡＮの通信規格に準拠したものを採用することができ、本実施の形態では、ＳＳＩＤ（Service Set Identifier）を採用する。
【００５８】
また、システム部１１０は、図１の構成に加えて、更に、撮像部１１３、表示部１１４、画像メモリ１１５、シリアルインタフェース１１６、及び操作部１１７を備えている。また、近接通信部１２０は、図１の構成に加えて、更にシリアルインタフェース１２５を備えている。
【００５９】
撮像部１１３は、例えば、ＣＣＤやＣＭＯＳのイメージセンサにより構成され、制御部１１１の制御の下、被写体を撮影する。表示部１１４は、例えば、液晶パネルや有機ＥＬパネルにより構成され、制御部１１１の制御の下、種々の画像を表示する。本実施の形態では、特に、表示部１１４は、撮像部１１３が撮影するライブビュー画像や、ユーザの撮影指示にしたがって撮像部１１３が撮影する撮影画像を表示する。画像メモリ１１５は、撮像部１１３で撮影された撮影画像を保存する。
【００６０】
シリアルインタフェース１１６は、制御部１１１から出力されるパラレルの信号をシリアルの信号に変換して近接通信部１２０に出力すると共に、近接通信部１２０から出力されるシリアルの信号をパラレルの信号に変換して制御部１１１に供給する。操作部１１７は、シャッターボタンや動作モード設定ボタン等の種々のボタンを含む。
【００６１】
本実施の形態において、制御部１１１は、近接無線メモリ１２１に書き込まれた動作コマンドに基づき、高速無線通信部１３０を親機モード又は子機モードで動作させるかを判定する。
【００６２】
具体的には、制御部１１１は、機器制御情報４３０において動作コマンドとして記述された通信モード情報が親機モードを示す場合、高速無線通信部１３０を親機モードで動作させ、通信モード情報が子機モードを示す場合、高速無線通信部１３０を子機モードで動作させればよい。
【００６３】
或いは、本実施の形態では、近接無線通信部１２２は、携帯端末２００が中継器３００に接続されている場合、携帯端末２００から中継器３００を接続先とする中継器ＳＳＩＤ（第２接続先識別子の一例）を受信して、近接無線メモリ１２１に書き込んでいる。したがって、制御部１１１は、中継器ＳＳＩＤが近接無線メモリ１２１に保存されていない場合、高速無線通信部１３０を親機モードで動作させ、中継器ＳＳＩＤが近接無線メモリ１２１に保存されている場合、高速無線通信部１３０を親機モードで動作させてもよい。
【００６４】
図８は、本発明の実施の形態２において、近接無線メモリ１２１が記憶するデータの構成図である。図３との相違点は、コンフィグ情報４１０として更にアクセス制御情報が含まれ、機器情報４２０として更に機器接続情報、ＭＡＣアドレス、残バッテリ情報、及び残メモリ容量が含まれ、機器制御情報４３０として更に中継器情報及びユーザ情報が含まれている点にある。
【００６５】
コンフィグ情報４１０に含まれるアクセス制御情報は、近接無線通信のセキュリティを高めるための通信手順等を規定する情報である。機器情報４２０に含まれる機器接続情報は、親機モードで高速無線通信を行う際の通信情報であり、機器ＳＳＩＤ（第１接続先識別子の一例）及び機器接続先パスワードを含む。機器ＳＳＩＤは、親機モードで高速無線通信を行う際のＳＳＩＤである。親機モードでは通信装置１００自身が接続先となるため、機器ＳＳＩＤは通信装置１００のＳＳＩＤとなる。
【００６６】
機器接続パスワードは、携帯端末２００が子機となって、親機である通信装置１００に接続する際に要求されるパスワードである。
【００６７】
ＭＡＣアドレスは、通信装置１００のＭＡＣアドレスである。このＭＡＣアドレスは、高速無線通信部１３０に対して予め設定されたＭＡＣアドレスである。
【００６８】
残バッテリ情報は、通信装置１００が備える二次電池（図略）の残容量を示す。残メモリ容量は、画像メモリ１１５の残メモリ容量を示す。
【００６９】
機器制御情報４３０に含まれる中継器情報は、通信装置１００が子機モードで携帯端末２００と高速無線通信を行う際の中継器３００に関する情報であり、中継器ＳＳＩＤ及び中継器接続パスワードを含む。
【００７０】
中継器ＳＳＩＤは、中継器３００のＳＳＩＤである。中継器接続パスワードは、通信装置１００及び携帯端末２００が中継器３００に接続する際に要求されるパスワードである。
【００７１】
ユーザ情報は、ユーザ認証を行うための情報である。例えば、通信装置１００は、外部装置からアクセスされた場合、外部装置からユーザ情報を送信させ、ユーザ情報が近接無線メモリ１２１に記憶されるユーザ情報と一致した場合、外部装置のアクセスを許可する。
【００７２】
図６に戻り、制御部１１１は、高速無線通信部１３０を親機モードで動作させる場合のＳＳＩＤである機器ＳＳＩＤを、携帯端末２００との通信に先立って、近接無線メモリ１２１に予め書き込んでいる。そのため、近接無線通信部１２２は、携帯端末２００からアクセスがあった際、主電源部１１２の起動を待たずに機器ＳＳＩＤを携帯端末２００に送信することができる。
【００７３】
近接無線通信部１２２は、携帯端末２００から近接無線通信による読出信号を受信した場合、近接無線メモリ１２１に記憶された機器ＳＳＩＤを携帯端末２００に送信する。また、近接無線通信部１２２は、携帯端末２００が中継器３００に接続されていない場合、携帯端末２００から親機モードを示す通信モード情報を受信して近接無線メモリ１２１に書き込む。
【００７４】
一方、近接無線通信部１２２は、携帯端末２００が中継器３００に接続されている場合、携帯端末２００から中継器３００のＳＳＩＤである中継器ＳＳＩＤを受信して、当該中継器ＳＳＩＤを近接無線メモリ１２１に書き込む。
【００７５】
図７は、本発明の実施の形態２の通信システムに適用される携帯端末２００のブロック図である。本実施の形態の携帯端末２００は、図２に示す携帯端末２００に対して、高速無線通信部２３０を更に備えており、システム部２１０がアプリケーション切替部２１５及びアプリケーションメモリ２１６を更に備えている。
【００７６】
高速無線通信部２３０は、通信装置１００の高速無線通信部１３０と同様、無線ＬＡＮの通信モジュールにより構成されており、通信制御部２３１及びアンテナ２３２を備えている。
【００７７】
通信制御部２３１は、送信対象となる信号を無線ＬＡＮの通信プロトコルに準拠した変調方式で変調し、アンテナ２３２から電波として出力させる。また、通信制御部２３１は、アンテナ２３２により受信された電波を復調して信号を取り出す。アンテナ２３２は、無線ＬＡＮのアンテナにより構成される。
【００７８】
アプリケーション切替部２１５は、通信装置１００を構成する電気機器に対応する携帯端末２００用のアプリケーションソフトウェアをアプリケーションメモリ２１６から読み出して、制御部２１１に実行させる。例えば、通信装置１００がデジタルカメラであれば、アプリケーション切替部２１５は、デジタルカメラに対応する携帯端末２００用のアプリケーションソフトウェアをアプリケーションメモリ２１６から読み出して制御部２１１に実行させる。また、アプリケーション切替部２１５は、通信装置１００がブルーレイレコーダであれば、ブルーレイレコーダに対応する携帯端末２００用のアプリケーションソフトウェアをアプリケーションメモリ２１６から読み出して制御部２１１に実行させる。
【００７９】
アプリケーションメモリ２１６は、書き換え可能な不揮発性メモリにより構成され、通信装置１００を構成する電気機器に対応する携帯端末２００用のアプリケーションソフトウェアを記憶する。
【００８０】
図９は、本発明の実施の形態２において、制御部１１１が機器ＳＳＩＤを近接無線メモリ１２１に予め書き込む際の処理を示すシーケンス図である。まず、システム部１１０の制御部１１１は、ユーザにより通信装置１００の電源スイッチがオンされて通信装置１００が起動されると（Ｓ９２１）、通信情報記憶部１３３に記憶されている通信情報を読み出す（Ｓ９２２）。ここで、通信情報としては、機器ＳＳＩＤ及び機器接続パスワードが含まれる。
【００８１】
次に、制御部１１１は、通信情報を近接通信部１２０に出力する（Ｓ９２３）。次に、近接通信部１２０の近接無線通信部１２２は、通信情報を受信し（Ｓ９０１）、近接無線メモリ１２１に書き込む（Ｓ９０２）。これにより、図８に示す機器ＳＳＩＤ及び機器接続パスワードが更新され、携帯端末２００との通信に先立って機器ＳＳＩＤ及び機器接続パスワードが近接無線メモリ１２１に予め書き込まれることになる。
【００８２】
なお、図９では、制御部１１１は、電源スイッチがオンされたときに通信情報を近接無線メモリ１２１に書き込んだが、これに限定されず、通信装置１００の起動後においてユーザにより通信情報の設定変更が行われた場合、変更後の通信情報を近接無線メモリ１２１に書き込んでもよい。
【００８３】
図１０は、本発明の実施の形態２の通信システムが高速無線通信を行うまでに実行される近接無線通信の処理を示すシーケンス図である。Ｓ１００１、Ｓ１００２、Ｓ１００３、Ｓ１００４、Ｓ１００５は、図４のＳ３０１、Ｓ３０３、Ｓ３０４、Ｓ３０５、Ｓ３０６と同じであるため、説明を省く。また、Ｓ１０２１、Ｓ１０２２、Ｓ１０２３、Ｓ１０２４は、図４のＳ３２１、Ｓ３２２、Ｓ３２３、Ｓ３２４と同じであるため、説明を省く。
【００８４】
Ｓ１００６において、携帯端末２００は、通信状況を確認する。そして、携帯端末２００が中継器３００と接続されている場合（Ｓ１００７でＹＥＳ）、すなわち、携帯端末２００と中継器３００との無線ＬＡＮによる通信接続が確立されている場合、携帯端末２００は、携帯端末２００が親機、通信装置１００が子機となる子機モードに設定するための子機モード処理を実行する（Ｓ１００９）。一方、携帯端末２００が中継器３００と接続されていない場合（Ｓ１００７でＮＯ）、すなわち、携帯端末２００と中継器３００との無線ＬＡＮによる通信接続が確立されていない場合、携帯端末２００は、携帯端末２００が子機、通信装置１００が親機となる親機モードに設定するための親機モード処理を実行する（Ｓ１００８）。
【００８５】
図１１は、携帯端末２００が親機モード処理を実行する際の通信システムの処理を示すシーケンス図である。まず、携帯端末２００は、近接した通信装置１００が無線ＬＡＮ搭載機器であるか否かを判定する（Ｓ１１０１）。この場合、携帯端末２００は、Ｓ１００５で受信した機器情報４２０に含まれる機器品番情報から通信装置１００が無線ＬＡＮ搭載機器であるか否かを判定すればよい。すなわち、携帯端末２００は、機器品番情報と無線ＬＡＮの搭載の有無を示す情報とが対応付けられたテーブルを予め保持しておき、このテーブルを参照して無線ＬＡＮ搭載機器であるか否かを判定すればよい。或いは、携帯端末２００は、外部サーバに機器品番情報を通知し、該当する通信装置１００が無線ＬＡＮ搭載機器であるか否かを外部サーバに問い合わせてもよい。
【００８６】
そして、該当する通信装置１００が無線ＬＡＮ搭載機器でない場合（Ｓ１１０１でＮＯ）、携帯端末２００は通信装置１００と無線ＬＡＮによる通信ができないため、処理を終了する。なお、Ｓ１１０１の処理は、省いてもよい。
【００８７】
一方、該当する通信装置１００が無線ＬＡＮ搭載機器である場合（Ｓ１１０１でＹＥＳ）、携帯端末２００は、通信装置１００を親機モードで起動するための動作コマンドを近接通信部１２０に送信する（Ｓ１１０２）。ここで送信される動作コマンドとしては、例えば、高速無線通信部１３０を親機モードに設定するための通信モード情報や、通信装置１００であるデジタルカメラの動作モードを設定するための動作モード情報が含まれる。デジタルカメラの動作モードとしては、例えば、被写体を撮影するための撮影モードや、保存されている撮影画像を再生するための再生モードや、デジタルカメラの初期設定を行う初期設定モードなどが含まれる。
【００８８】
次に、近接通信部１２０は、動作コマンドを受信して、近接無線メモリ１２１に書き込む（Ｓ１１２１）。この場合、近接無線通信部１２２は、受信した動作コマンドに含まれる通信モード情報及び動作モード情報を図８に示す動作コマンドの領域に書き込む。
【００８９】
次に、携帯端末２００は、通信装置１００を起動させるための起動信号を近接通信部１２０に送信する（Ｓ１１０３）。次に、近接通信部１２０は、起動信号を受信する（Ｓ１１２２）。
【００９０】
次に、近接通信部１２０は、割り込みをシステム部１１０に出力する（Ｓ１１２３）。次に、システム部１１０は、割り込みを取得し（Ｓ１１４１）、起動を開始する（Ｓ１１４２）。具体的には、制御部１１１は、近接通信部１２０からの割り込みを取得すると、主電源部１１２に対して起動を指示し、主電源部１１２から供給される電力によりファームウェアの読み出しを開始する。
【００９１】
次に、制御部１１１は、ファームウェアの読み出しが完了し、システム部１１０の起動が完了すると（Ｓ１１４３）、動作コマンドの読み出し要求を近接通信部１２０に出力する（Ｓ１１４４）。
【００９２】
次に、近接通信部１２０は、読み出し要求を取得すると（Ｓ１１２４）、動作コマンドをシステム部１１０に出力する（Ｓ１１２５）。システム部１１０は、動作コマンドを取得し（Ｓ１１４５）、動作コマンドに従い親機モードで高速無線通信部１３０を起動させる（Ｓ１１４６）。この場合、制御部１１１は、動作コマンドには、高速無線通信部１３０を親機モードに設定させることを示す通信モード情報が含まれているため、高速無線通信部１３０を親機モードに設定する。
【００９３】
また、制御部１１１は、動作コマンドに含まれる動作モード情報が撮影モードを示せば、撮影モードのファームウェアを実行して、通信装置１００を撮影モードで起動させ、動作モード情報が再生モードを示せば、再生モードのファームウェアを実行して、通信装置１００を再生モードで起動させる。
【００９４】
Ｓ１１０４は、図４のＳ３０９と同じであるため、説明を省く。次に、携帯端末２００は、高速無線通信部２３０を起動させ（Ｓ１１０５）、機器ＳＳＩＤに接続する（Ｓ１１０６）。これにより、通信装置１００が親機、携帯端末２００が子機となって、通信装置１００と携帯端末２００との無線ＬＡＮによる通信接続が確立される。
【００９５】
図１２は、携帯端末２００が子機モード処理を実行する際の通信システムの処理を示すシーケンス図である。Ｓ１２０１は図１１のＳ１１０１と同じであるため、説明を省略する。
【００９６】
次に、携帯端末２００は、通信装置１００を子機モードで起動するための動作コマンドを近接通信部１２０に送信する（Ｓ１２０２）。ここで、送信される動作コマンドとしては、例えば、高速無線通信部１３０を子機モードに設定するための通信モード情報や、上述の動作モード情報が含まれる。Ｓ１２２１は図１１のＳ１１２１と同じであるため説明を省略する。
【００９７】
次に、携帯端末２００は、現在、接続している中継器３００の中継器ＳＳＩＤ及び中継器接続パスワードを近接通信部１２０に送信する（Ｓ１２０３）。次に、近接通信部１２０は、中継器ＳＳＩＤ及び中継器接続パスワードを受信して、近接無線メモリ１２１に書き込む（Ｓ１２２２）。この場合、中継器ＳＳＩＤ及び中継器接続パスワードは、図８に示す中継器情報の領域に書き込まれる。
【００９８】
Ｓ１２０４、Ｓ１２２３は、図１１のＳ１１０３、Ｓ１１２２と同じであるため、説明を省く。また、Ｓ１２２４、Ｓ１２２５は、図１１のＳ１１２３、Ｓ１１２４と同じであるため、説明を省く。また、Ｓ１２４１、Ｓ１２４２、Ｓ１２４３、Ｓ１２４４は、図１１のＳ１１４１、Ｓ１１４２、Ｓ１１４３、Ｓ１１４４と同じであるため、説明を省く。
【００９９】
Ｓ１２２６において、近接通信部１２０は、動作コマンド及び中継器ＳＳＩＤをシステム部１１０に出力する（Ｓ１２２６）。システム部１１０は、動作コマンド及び中継器ＳＳＩＤを取得すると（Ｓ１２４５）、動作コマンドに従い子機モードで高速無線通信部１３０を起動させる（Ｓ１２４６）。この場合、動作コマンドには、高速無線通信部１３０を子機モードに設定させることを示す通信モード情報が含まれているため、制御部１１１は、高速無線通信部１３０を子機モードに設定する。具体的には、制御部１１１は、中継器ＳＳＩＤと中継器接続パスワードとを通信制御部１３１を介して通信情報記憶部１３３に書き込むことで、高速無線通信部１３０を子機モードに設定する。
【０１００】
また、制御部１１１は、動作コマンドに含まれる動作モード情報にしたがって、通信装置１００を撮影モード或いは再生モードに設定する。
【０１０１】
Ｓ１２０５は、図４のＳ３０９と同じであるため、説明を省く。次に、携帯端末２００は、自身が親機となって高速無線通信部２３０を起動させ（Ｓ１２０６）、無線ＬＡＮにより通信装置１００の検索を開始する（Ｓ１２０７）。ここで、携帯端末２００は、図１０のＳ１００５で取得した機器情報４２０に含まれるＭＡＣアドレスを検索対象とするＭサーチを中継器３００に送信する。これを受けた中継器３００は、接続されている全通信装置にＭサーチを送信する。
【０１０２】
Ｓ１２４７において、システム部１１０は、Ｍサーチに含まれるＭＡＣアドレスが自身の高速無線通信部１３０のＭＡＣアドレスであれば、検索に対する応答を携帯端末２００に送信する。これにより、通信装置１００が子機、携帯端末２００が親機となって、通信装置１００と携帯端末２００との無線ＬＡＮによる通信接続が確立される。
【０１０３】
図１３は、本発明の実施の形態１において、通信装置１００及び携帯端末２００間の無線ＬＡＮによる接続が完了した後の通信システムの処理を示すシーケンス図である。図１３においては、図１１、図１２において、動作指定コマンドが撮影モードである場合の通信システムの処理を示している。
【０１０４】
まず、携帯端末２００は、ライブビュー画像の表示要求を通信装置１００に送信する（Ｓ１３０１）。次に、通信装置１００の高速無線通信部１３０は、この表示要求を受信する（Ｓ１３２１）。次に、通信装置１００は、撮像部１１３に所定のフレームレートで被写体の画像を撮影させてライブビュー画像を取得し、高速無線通信部１３０を介して携帯端末２００にライブビュー画像を連続送信する（Ｓ１３２２）。次に、携帯端末２００は、高速無線通信部２３０を介してライブビュー画像を受信する（Ｓ１３０２）。次に、携帯端末２００の制御部２１１はライブビュー画像を表示部２１４に表示させる（Ｓ１３０３）。これにより、ユーザはライブビュー画像を見て撮影タイミングを決定することができる。
【０１０５】
次に、携帯端末２００の制御部１１１は、ユーザによりシャッターボタンが押されると、撮影指示を高速無線通信部１３０を介して通信装置１００に送信する（Ｓ１３０４）。次に、通信装置１００の高速無線通信部１３０が撮影指示を受信すると、通信装置１００の制御部１１１は撮像部１１３に被写体を撮影させる（Ｓ１３２３）。
【０１０６】
次に、通信装置１００の高速無線通信部１３０は、携帯端末２００に撮影画像を送信する（Ｓ１３２４）。次に、携帯端末２００の高速無線通信部２３０が撮影画像を受信すると、携帯端末２００の制御部２１１は表示部２１４に撮影画像を表示させる（Ｓ１３０５）。
【０１０７】
次に、携帯端末２００の制御部２１１は、位置情報を取得し（Ｓ１３０６）、撮影画像を位置情報と対応付けて保存するための位置情報付与コマンドを、高速無線通信部２３０を介して通信装置１００に送信する（Ｓ１３０７）。なお、位置情報としては、例えば、携帯端末２００にＧＰＳセンサを設け、ＧＰＳセンサにより取得されたものを採用すればよい。次に、通信装置１００の高速無線通信部２３０が位置情報付与コマンドを受信し、通信装置１００の制御部１１１は位置情報付与コマンドに含まれる位置情報と撮影画像とを対応付けて画像メモリ１１５に保存する（Ｓ１３２５）。
【０１０８】
このように、本実施の形態によれば、携帯端末２００は、親機モード又は子機モードを示す動作コマンドを、近接無線通信を用いて通信装置１００の近接無線メモリ１２１に書き込んで起動信号を送信すると、後は、近接無線通信を用いることなく通信装置１００と携帯端末２００との無線ＬＡＮの通信接続が確立される。そのため、通信装置１００と携帯端末２００との無線ＬＡＮの通信接続が確立されるまで、ユーザは携帯端末２００を通信装置１００に近接（タッチ）させる必要がなくなる。その結果、携帯端末２００を通信装置１００に近接させる期間が短縮され、ユーザは少ない回数（少ない場合は一度）近接させること（ワンタッチ）で通信装置１００を起動させることができる。
【０１０９】
また、携帯端末２００は、中継器３００に接続されていない場合、動作コマンドとして親機モードを示す通信モード情報を、近接無線通信を用いて近接無線メモリ１２１に書き込む。また、携帯端末２００は、中継器３００に接続されている場合、動作コマンドとして子機モードを示す通信モード情報を、近接無線通信を用いて近接無線メモリ１２１に書き込む。そのため、携帯端末２００の通信状態に応じて適切な無線ＬＡＮの通信モードで、通信装置１００及び携帯端末２００間を通信させることができる。
【０１１０】
なお、上記の説明では、通信モード情報として、親機モード又は子機モードを明示的に示すものを採用したが、これに限定されない。例えば、図１２のＳ１２２２において、中継器ＳＳＩＤを近接無線メモリ１２１に書き込む処理が行われているが、この処理によって中継器ＳＳＩＤが近接無線メモリ１２１に書き込まれていれば、通信装置１００は子機モードで起動し、中継器ＳＳＩＤが近接無線メモリ１２１に書き込まれていなければ、通信装置１００は親機モードで起動するようにしてもよい。この場合、中継器ＳＳＩＤが通信モード情報を示す通動作コマンドに該当することになる。したがって、この場合、動作コマンドから通信モード情報を省いてもよい。
【０１１１】
また、図１３では、動作モード情報により撮影モードが指定された場合の処理を示したが、これは一例にすぎず、動作モード情報として、再生モードや初期設定モードが指定された場合、これらのモードに応じた処理を実行すればよい。
【０１１２】
また、通信装置１００としてデジタルカメラ以外の機器を採用した場合、通信システムはその機器に対して動作モード情報により指定された動作モードに応じた処理を実行すればよい。例えば、機器としてブルーレイレコーダが採用された場合、動作モードとして再生モードや録画モードがあるため、ユーザは携帯端末２００を操作して動作モード情報としてこれらの動作モードを指定する。そして、通信システムは動作モード情報で指定された動作モードの処理を実行させればよい。
【０１１３】
（実施の形態３）
図１４は、本発明の実施の形態３による通信システムの動作の概要を説明する図である。なお、本実施の形態において、実施の形態１、２と同じものは同じ符号を付し、説明を省略する。実施の形態２では、動作コマンドに動作モード情報を含ませ、その動作モード情報が示す動作モードで、通信装置１００を起動させていた。
【０１１４】
実施の形態３では、スリープ状態に入る直前に通信装置１００は近接無線メモリ１２１に自身の現在の動作モードを示す状態情報を動作コマンドとして書き込む。そして、通信装置１００は、携帯端末２００から起動信号を受けると、近接無線メモリ１２１に書き込んでおいた状態情報にしたがって起動することを特徴としている。なお、本実施の形態では、通信装置１００としてデジタルカメラを採用するが、これは一例にすぎず、他の機器を採用してもよい。
【０１１５】
図１４に示すように、通信装置１００が再生モードでスリープ状態に遷移した場合、携帯端末２００が通信装置１００に近接（タッチ）されると（Ｓ１４０１）、通信装置１００は、近接無線メモリ１２１から状態情報を読み出し、再生モードを示す状態情報を携帯端末２００に通知する（Ｓ１４０２）。すると、通信装置１００及び携帯端末２００間で無線ＬＡＮの通信接続が確立される（Ｓ１４０３）。そして、通信装置１００は動作モードを再生モードにして起動し、表示部１１４に表示されているプレビュー画像を携帯端末２００に送信する（Ｓ１４０４）。
【０１１６】
一方、通信装置１００が撮影モードでスリープ状態に遷移した場合、携帯端末２００が通信装置１００に近接（タッチ）されると（Ｓ１４１１）、通信装置１００は、近接無線メモリ１２１から状態情報を読み出し、撮影モードを示す状態情報を携帯端末２００に通知する（Ｓ１４１３）。すると、通信装置１００及び携帯端末２００間で無線ＬＡＮの通信接続が確立される（Ｓ１４１３）。そして、通信装置１００は動作モードを撮影モードにして起動し、撮像部１１３が撮影しているライブビュー画像を携帯端末２００に送信する（Ｓ１４１４）。
【０１１７】
図１５は、本発明の実施の形態３の通信システムに適用される通信装置１００のブロック図である。図６との相違点は、システム部１１０がタイマ１１８を更に備え、近接無線メモリ１２１に状態情報が書き込まれている点にある。
【０１１８】
タイマ１１８は、ユーザからの操作がなされない期間をカウントする。制御部１１１は、操作部１１７に対するユーザの操作が終了するとタイマ１１８に計時動作を開始させる。そして、タイマ１１８の計時時間が所定の閾値以上になれば、通信装置１００をスリープ状態に遷移させる。ここで、スリープ状態は、主電源部１１２を省電力モードに設定した状態を指す。省電力モードにおいて、主電源部１１２は、必要最低限の電力供給を行う。必要最低限の電力供給としては、例えば、近接通信部１２０が携帯端末２００から起動信号を受信した際に、制御部１１１が主電源部１１２に省電力モードから通常モードへの復帰を指示することができる程度の電力供給が挙げられる。
【０１１９】
近接無線メモリ１２１は、状態情報を記憶する。状態情報は、通信装置１００がスリープ状態に遷移する直前に制御部１１１によって書き込まれる情報である。撮影モードにおいて、通信装置１００がスリープ状態に遷移する場合、制御部１１１は、撮影モードを示す状態情報を近接無線メモリ１２１に書き込み、再生モードにおいて、通信装置１００がスリープ状態に遷移する場合、制御部１１１は、再生モードを示す状態情報を近接無線メモリ１２１に書き込む。このように、制御部１１１は、スリープ状態に遷移する際の通信装置１００の動作モードを状態情報として近接無線メモリ１２１に書き込む。
【０１２０】
図１６は、本発明の実施の形態３の通信システムに適用される携帯端末２００のブロック図である。図７との相違点は、システム部２１０が更にアプリケーションモード切替部２１７を備えている点にある。
【０１２１】
アプリケーションモード切替部２１７は、制御部２１１がデジタルカメラのアプリケーションソフトウェアを実行している状態において、近接無線メモリ１２１に記憶されている状態情報が撮影モードを示す場合、撮影モードに対応するアプリケーションソフトウェアを制御部２１１に実行させる。また、アプリケーションモード切替部２１７は、制御部２１１がデジタルカメラのアプリケーションソフトウェアを実行している状態において、近接無線メモリ１２１に記憶されている状態情報が再生モードを示す場合、再生モードに対応する携帯端末２００用のアプリケーションソフトウェアを制御部２１１に実行させる。このように、アプリケーションモード切替部２１７は、近接無線メモリ１２１に記憶されている状態情報が示す動作モードに対応する携帯端末２００用のアプリケーションソフトウェアを制御部２１１に実行させる。
【０１２２】
図１７は、本発明の実施の形態３において、近接無線メモリ１２１が記憶するデータの構成図である。図８との相違点は、機器情報４２０に状態情報が更に含まれ、機器制御情報４３０から動作コマンドが省かれている点にある。
【０１２３】
状態情報としては、上述したように動作モード情報に加えて、電源状態、詳細情報が含まれる。電源状態は、通信装置がオン状態にあるかオフ状態にあるかを示す。詳細情報としては、例えば、撮像部１１３の解像度、露光時間、及びホワイトバランスに関する情報が採用される。
【０１２４】
図１８は、本発明の実施の形態３において、通信装置１００がスリープ状態に遷移する際の処理を示すフローチャートである。まず、制御部１１１は、ユーザが操作部１１７を操作しているか否かを判定する（Ｓ１８０１）。そして、制御部１１１は、ユーザが操作部１１７を操作していないと判定すると（Ｓ１８０１でＮＯ）、タイマ１１８をリセットしてタイマ１１８に計時を開始させる（Ｓ１８０２）。一方、ユーザが操作部１１７を操作していると判定すると（Ｓ１８０１でＹＥＳ）、処理が終了される。Ｓ１８０３において、タイマ１１８の計時時間が閾値未満であれば（Ｓ１８０３でＮＯ）、制御部１１１は処理をＳ１８０１に戻す。
【０１２５】
一方、タイマ１１８の計時時間が閾値以上であれば（Ｓ１８０３でＹＥＳ）、制御部１１１は、現在の動作モードを状態情報として近接無線メモリ１２１に保存する（Ｓ１８０４）。次に、制御部１１１は、主電源部１１２を省電力モードに設定し、通信装置１００をスリープ状態に遷移させる（Ｓ１８０５）。
【０１２６】
このように、制御部１１１は、ユーザが操作部１１７を操作しているか否かを監視し、ユーザが一定時間以上、操作部１１７を操作していないと判定すると、通信装置１００をスリープ状態に遷移させる。
【０１２７】
図１９は、本発明の実施の形態３の通信システムの動作を示すシーケンス図である。Ｓ１９０１、Ｓ１９０２、Ｓ１９０３、Ｓ１９０４、Ｓ１９０５は、Ｓ３０１、Ｓ３０３、Ｓ３０４、Ｓ３０５、Ｓ３０６と同じであるため、説明を省く。Ｓ１９２１、Ｓ１９２２、Ｓ１９２３、Ｓ１９２４は図３のＳ３２１、Ｓ３２２、Ｓ３２３、Ｓ３２４と同じであるため、説明を省く。
【０１２８】
Ｓ１９０６において、携帯端末２００は、受信した機器情報４２０に含まれる状態情報を確認する。具体的には、制御部２１１は、近接無線通信部２２１により受信された機器情報４２０を近接無線通信部２２１から取得し、取得した機器情報４２０に含まれる状態情報を確認する。
【０１２９】
次に、携帯端末２００は、起動信号を通信装置１００に送信する（Ｓ１９０７）。具体的には、制御部２１１は、起動信号を送信するように近接無線通信部２２１に指示し、近接無線通信部２２１にアンテナ２２２を介して起動信号を送信させる。
【０１３０】
次に、通信装置１００の近接通信部１２０は、起動信号を受信する（Ｓ１９２５）。具体的には、近接無線通信部１２２はアンテナ１２４を介して起動信号を受信する。
【０１３１】
次に、近接通信部１２０は割り込みをシステム部１１０に出力する（Ｓ１９２６）。次に、システム部１１０は割り込みを取得する（Ｓ１９４１）。次に、システム部１１０は、近接無線メモリ１２１から状態情報を読み出し、状態情報が示す動作モードで通信装置１００を起動させ（Ｓ１９４２）、起動を完了させる（Ｓ１９４３）。
【０１３２】
Ｓ１９０８、Ｓ１９０９、Ｓ１９１０は図１１のＳ１１０４、Ｓ１１０５、Ｓ１１０６と同じであるため、説明を省く。Ｓ１９１０により、通信装置１００が親機、携帯端末２００が子機となって、通信装置１００と携帯端末２００との無線ＬＡＮによる通信接続が確立される。次に、携帯端末２００は、Ｓ１９０６で確認した状態情報が示す動作モードに対応する携帯端末２００用のアプリケーションソフトウェアに切り替える（Ｓ１９１１）。具体的には、アプリケーションモード切替部２１７は、状態情報が撮影モードを示せば、撮影モードに対応する携帯端末２００用のアプリケーションソフトウェアを制御部２１１に実行させ、状態情報が再生モードを示せば、再生モードに対応する携帯端末２００用のアプリケーションソフトウェアを制御部２１１に実行させる。
【０１３３】
このように、本実施の形態では、通信装置１００は、スリープ状態に遷移する前に現在の動作モードを示す状態情報を近接無線メモリ１２１に書き込んでスリープ状態に遷移する。そして、携帯端末２００は、通信装置１００がスリープ状態から起動状態に復帰する際、近接無線メモリ１２１に書き込まれた状態情報が示す動作モードに応じたアプリケーションソフトウェアを制御部２１１に実行させている。また、通信装置１００も状態情報が示す動作モードで起動している。
【０１３４】
よって、ユーザは、通信装置１００がスリープ状態から起動状態に復帰する際に、再度、動作モードを指定する操作を携帯端末２００を用いて行わなくても、通信装置１００をスリープ状態に遷移する前の動作モードで復帰させることができる。
【０１３５】
（実施の形態４）
図２０は、本発明の実施の形態４による通信システムの全体構成図である。実施の形態４の通信システムは、実施の形態１〜３に示す通信システムに適用される携帯端末２００用のアプリケーションソフトウェアを送信するダウンロードサーバ４００を設けたことを特徴としている。
【０１３６】
ダウンロードサーバ４００は、ネットワークを介して携帯端末２００に接続され、携帯端末２００にアプリケーションソフトウェアを送信する。具体的には、ダウンロードサーバ４００は、制御部４０１、通信部４０２、及びプログラム記憶部４０３を備えている。制御部４０１は、例えば、ＣＰＵ、ＲＯＭ、及びＲＡＭ等により構成されている。通信部４０２は、例えば、ネットワークの通信規格に対応する通信モジュールにより構成されている。プログラム記憶部４０３は、例えば、ハードディスクドライブ等の記憶装置により構成され、携帯端末２００用のアプリケーションソフトウェアを記憶している。
【０１３７】
通信装置１００及び携帯端末２００は、実施の形態１〜３で説明したものが採用される。すなわち、通信装置１００及び携帯端末２００は、無線ＬＡＮ及び近接無線通信の両方で通信可能に構成されている。ネットワークとしては、インターネットが採用され、ＴＣＰ／ＩＰの通信規格にしたがって、種々のデータが送受される。
【０１３８】
通信部４０２が、携帯端末２００からアプリケーションソフトウェアのダウンロード要求を受信すると、制御部４０１はダウンロード要求が示すアプリケーションソフトウェアをプログラム記憶部４０３から読み出して、通信部４０２に渡す。そして、通信部４０２は、制御部４０１から渡されたアプリケーションソフトウェアを、ダウンロード要求を行った携帯端末２００に送信する。
【０１３９】
ここで、ダウンロードサーバ４００は、例えば、ダウンロードサービスをユーザに提供するためのＷＥＢページに携帯端末２００をアクセスさせる。そして、ＷＥＢページ上で通信装置１００を構成する家電機器をユーザに選択させ、選択された家電機器に対応する携帯端末２００用のアプリケーションソフトウェアを携帯端末２００に送信すればよい。
【０１４０】
このように、本実施の形態によれば、ダウンロードサーバ４００を設けたため、携帯端末２００を所持するユーザは容易にアプリケーションソフトウェアを入手することができる。
【０１４１】
なお、上記説明では、ダウンロードサーバ４００は、携帯端末２００用のアプリケーションソフトウェアを送信するものとして説明したが、これに限定されず、通信装置１００用のアプリケーションソフトウェアも送信してもよい。この場合、プログラム記憶部４０３は、実施の形態１〜３で説明した通信装置１００としてコンピュータを機能させるための通信装置１００用のアプリケーションソフトウェアを記憶すればよい。そして、携帯端末２００から通信装置１００用のアプリケーションソフトウェアのダウンロード要求を受信した場合、ダウンロードサーバ４００は該当するアプリケーションソフトウェアをプログラム記憶部４０３から読み出して携帯端末２００を介して通信装置１００に送信すればよい。或いは、通信装置１００がネットワークに直接接続可能であれば、通信装置１００からのダウンロード要求にしたがって該当するアプリケーションソフトウェアを通信装置１００に送信すればよい。
【０１４２】
更に、通信装置１００及び携帯端末２００としてコンピュータを機能させることができるアプリケーションソフトウェアは、例えば、ＤＶＤ−ＲＯＭ等のコンピュータ読み取り可能な記録媒体に記録して流通されてもよい。
【０１４３】
（本実施の形態の纏め）
（１）本発明の一態様による通信装置は、携帯端末と通信可能に構成された通信装置であって、前記携帯端末から送信される近接無線通信の電波によって起動する近接無線電源部と、前記近接無線電源部から供給される電力によって駆動し、前記通信装置の動作コマンドを記憶する不揮発性メモリと、前記近接無線電源部から供給される電力によって駆動し、前記携帯端末と近接無線通信を行う近接無線通信部と、前記近接無線通信部により受信された信号に基づいて起動する主電源部と、前記主電源部から供給される電力によって駆動し、前記不揮発性メモリから前記動作コマンドを読み出して実行する制御部とを備え、前記近接無線通信部は、前記携帯端末から送信された前記動作コマンドを前記不揮発性メモリに書き込む。
【０１４４】
この構成によれば、携帯端末から近接無線通信の電波が送信されると、近接無線電源部が起動され、近接無線電源部からの電力によって近接無線通信部が駆動され、携帯端末から送信された動作コマンドが近接無線メモリに書き込まれる。よって、通信装置がスリープ状態やオフ状態にあっても、ユーザは携帯端末を操作して動作コマンドを通信装置に書き込むことができる。
【０１４５】
そして、近接無線通信部により信号が受信されると、主電源部が起動され、動作コマンドにしたがって通信装置が動作する。これにより、ユーザは、携帯端末に動作コマンドを入力し、携帯端末を通信装置の近接通信部に一度かざす（ワンタッチさせる）だけで、通信装置を動作させることができる。
【０１４６】
（２）前記通信装置は、前記近接無線通信よりも高速な高速無線通信を用いて前記携帯端末と通信する高速無線通信部を更に備え、前記高速無線通信部は、子機となる前記携帯端末からの接続を前記通信装置が受け付ける親機モードと、親機となる前記携帯端末に前記通信装置を接続させる子機モードとのいずれかの通信モードで動作可能であり、前記制御部は、前記不揮発性メモリに書き込まれた動作コマンドに基づき、前記高速無線通信部を前記親機モード又は前記子機モードで動作させるかを判定してもよい。
【０１４７】
この構成によれば、制御部は、不揮発性メモリに書き込まれた動作コマンドに応じて、通信装置を親機モード又は子機モードで動作させることができる。
【０１４８】
（３）前記制御部は、前記通信装置を前記親機モードで動作させる場合の第１接続先識別子を、前記不揮発性メモリに予め書き込むことが好ましい。
【０１４９】
この構成によれば、通信装置を親機モードで動作させる場合の第１接続先識別子が予め不揮発性メモリに書き込まれている。ここで、不揮発性メモリは主電源部からの電力供給を受けなくても、近接無線電源部からの電力供給を受けて起動することができる。よって、近接無線通信部は、携帯端末から信号を受信した際、主電源部の起動を待たずに第１接続先識別子を携帯端末に送信することができる。
【０１５０】
（４）前記近接無線通信部は、前記携帯端末が前記高速無線通信の中継器に接続されていない場合、前記携帯端末から前記親機モードを示す通信モード情報を含む動作コマンドを受信して前記不揮発性メモリに書き込み、前記携帯端末が前記中継器に接続されている場合、前記携帯端末から前記子機モードを示す通信モード情報を含む動作コマンドを受信して、前記不揮発性メモリに書き込み、前記制御部は、前記通信モード情報が前記親機モードを示す場合、前記高速無線通信部を前記親機モードで動作させ、前記通信モード情報が前記子機モードを示す場合、前記高速無線通信部を子機モードで動作させてもよい。
【０１５１】
この構成によれば、携帯端末が高速無線通信の中継器に接続されていない場合、携帯端末から親機モードを示す通信モード情報が近接無線通信により送信され、不揮発性メモリに書き込まれる。一方、携帯端末が中継器に接続されている場合、携帯端末から子機モードを示す通信モード情報が近接無線通信により送信され、不揮発性メモリに書き込まれる。そのため、制御部は、通信モード情報にしたがって通信モードを判定し、高速無線通信部を適切な通信モードで動作させることができる。
【０１５２】
（５）前記近接無線通信部は、前記携帯端末が前記高速無線通信の中継器に接続されている場合、前記携帯端末から前記中継器を接続先とする第２接続先識別子を受信して、前記動作コマンドとして前記不揮発性メモリに書き込み、前記制御部は、前記第２接続先識別子が前記不揮発性メモリに書き込まれていない場合、前記高速無線通信部を前記親機モードで動作させ、前記第２接続先識別子が前記不揮発性メモリに書き込まれた場合、前記高速無線通信部を子機モードで動作させてもよい。
【０１５３】
この構成によれば、制御部は不揮発性メモリに第２接続先識別子が書き込まれたか否かにより高速無線通信部を親機モード又は子機モードで動作させるかを判定することができ、高速無線通信部を適切な通信モードで動作させることができる。
【０１５４】
（６）前記制御部は、前記主電源部が起動した後、前記不揮発性メモリから前記動作コマンドを読み出して、前記高速無線通信部の通信モードを切り替えてもよい。
【０１５５】
この構成によれば、制御部は主電源部からの電力供給を受けて動作コマンドを実行して通信モードを切り替えることができ、バックアップ用の電源の無駄な消費を抑制することができる。
【０１５６】
（７）前記近接無線通信部は、前記主電源部が起動する前に前記動作コマンドを前記不揮発性メモリに書き込み、前記制御部は、前記主電源部が起動した後に前記不揮発性メモリから前記動作コマンドを読み出してもよい。
【０１５７】
この構成によれば、通信装置が主電源部からの電力供給を受けて起動するのを待たずに、携帯端末は不揮発性メモリに動作コマンドを書き込むことができ、動作コマンドの入力期間を短縮することができる。
【０１５８】
（８）本発明の別の一態様による通信システムは、携帯端末と、前記携帯端末に対して通信可能に構成された通信装置とを備える通信システムであって、前記携帯端末は、前記携帯端末から送信される近接無線通信の電波によって起動する近接無線電源部と、前記近接無線電源部から供給される電力によって駆動し、前記通信装置の動作コマンドを記憶する不揮発性メモリと、前記近接無線電源部から供給される電力によって駆動し、前記携帯端末と近接無線通信を行う近接無線通信部と、前記近接無線通信部により受信された信号に基づいて起動する主電源部と、前記主電源部から供給される電力によって駆動し、前記不揮発性メモリから前記動作コマンドを読み出して実行する制御部とを備え、前記近接無線通信部は、前記携帯端末から送信された前記動作コマンドを前記不揮発性メモリに書き込む。
【０１５９】
この構成によれば、ユーザは、携帯端末に動作コマンドを入力し、携帯端末を通信装置の近接通信部に一度かざすだけで、通信装置を動作させることができる。
【０１６０】
（９）本発明の別の一態様による携帯端末は、通信装置と通信可能に構成された携帯端末であって、前記通信装置と近接無線通信を行う近接無線通信部と、前記近接無線通信よりも高速である高速無線通信を行う高速無線通信部と、前記高速無線通信の中継器に前記携帯端末が接続されている場合、親機となる前記携帯端末に前記通信装置を接続させる子機モードを示す動作コマンドを、前記近接無線通信部を介して前記通信装置に送信し、前記通信装置が備える不揮発性メモリに前記動作コマンドを書き込ませる制御部とを備える。
【０１６１】
この構成によれば、携帯端末が中継器に接続されている場合、子機モードを示す動作コマンドが近接無線通信部により送信される。そのため、通信装置は子機となって中継器に接続し、通信装置及び携帯端末は子機モードで高速無線通信の接続を確立することができる。
【０１６２】
（１０）本発明の別の一態様による携帯端末は、通信装置と通信可能に構成された携帯端末であって、前記通信装置と近接無線通信を行う近接無線通信部と、前記近接無線通信よりも高速である高速無線通信を行う高速無線通信部と、前記通信装置の不揮発性メモリに動作コマンドとして記憶された前記通信装置の状態を示す状態情報を前記近接無線通信部を介して読み出す制御部と、前記制御部により読み出された状態情報に基づいて、前記通信装置と前記高速無線通信を用いて連携して実行されるアプリケーションソフトウェアを前記制御部に実行させるアプリケーションモード切替部とを備える。
【０１６３】
この構成によれば、携帯端末は、近接無線通信部を介して通信装置の不揮発性メモリに動作コマンドとして記憶された通信装置の状態情報を読み出し、状態情報に応じたアプリケーションソフトウェアを実行する。したがって、例えば、通信装置がスリープ状態であっても、携帯端末は、通信装置がスリープ状態に入る前の状態を認識し、その状態に応じたアプリケーションソフトウェアを起動することができる。
【０１６４】
（１１）本発明の別の一態様によるサーバは、携帯端末と通信可能に構成され、前記携帯端末にプログラムを送信するサーバであって、前記プログラムは、上記の携帯端末の機能を実現するためのプログラムである。
【０１６５】
この構成によれば、携帯端末の機能を実現するためのプログラムをユーザは容易に取得することができる。
【産業上の利用可能性】
【０１６６】
本発明によれば、携帯端末を通信装置に少ない回数かざすだけで、通信装置を起動させて種々のサービスをユーザに提供することができるため、通信装置を構成する家電機器を、携帯端末を用いて操作する機器連携サービスをユーザに提供する上で有用な技術を提供することができる。
【図１】
2014057634.tif 000003
【図２】
2014057634.tif 000004
【図３】
2014057634.tif 000005
【図４】
2014057634.tif 000006
【図５】
2014057634.tif 000007
【図６】
2014057634.tif 000008
【図７】
2014057634.tif 000009
【図８】
2014057634.tif 000010
【図９】
2014057634.tif 000011
【図１０】
2014057634.tif 000012
【図１１】
2014057634.tif 000013
【図１２】
2014057634.tif 000014
【図１３】
2014057634.tif 000015
【図１４】
2014057634.tif 000016
【図１５】
2014057634.tif 000017
【図１６】
2014057634.tif 000018
【図１７】
2014057634.tif 000019
【図１８】
2014057634.tif 000020
【図１９】
2014057634.tif 000021
【図２０】
2014057634.tif 000022
【手続補正書】
【提出日】平成26年6月6日(2014.6.6)
【手続補正１】
【補正対象書類名】特許請求の範囲
【補正対象項目名】全文
【補正方法】変更
【補正の内容】
【特許請求の範囲】
【請求項１】
携帯端末と通信可能に構成された通信装置であって、
前記携帯端末から送信される近接無線通信の電波によって起動する近接無線電源部と、
前記近接無線電源部から供給される電力によって駆動し、前記通信装置の動作コマンドを記憶する不揮発性メモリと、
前記近接無線電源部から供給される電力によって駆動し、前記携帯端末と近接無線通信を行う近接無線通信部と、
前記近接無線通信部により受信された信号に基づいて起動する主電源部と、
前記主電源部から供給される電力によって駆動し、前記不揮発性メモリから前記動作コマンドを読み出して実行する制御部とを備え、
前記近接無線通信部は、前記携帯端末から送信された前記動作コマンドを前記不揮発性メモリに書き込む通信装置。
【請求項２】
前記近接無線通信よりも高速な高速無線通信を用いて前記携帯端末と通信する高速無線通信部を更に備え、
前記高速無線通信部は、子機となる前記携帯端末からの接続を前記通信装置が受け付ける親機モードと、親機となる前記携帯端末に前記通信装置を接続させる子機モードとのいずれかの通信モードで動作可能であり、
前記制御部は、前記不揮発性メモリに書き込まれた動作コマンドに基づき、前記高速無線通信部を前記親機モード又は前記子機モードで動作させるかを判定する請求項１記載の通信装置。
【請求項３】
前記制御部は、前記通信装置を前記親機モードで動作させる場合の第１接続先識別子を、前記不揮発性メモリに予め書き込む請求項２記載の通信装置。
【請求項４】
前記近接無線通信部は、前記携帯端末が前記高速無線通信の中継器に接続されていない場合、前記携帯端末から前記親機モードを示す通信モード情報を含む動作コマンドを受信して前記不揮発性メモリに書き込み、前記携帯端末が前記中継器に接続されている場合、前記携帯端末から前記子機モードを示す通信モード情報を含む動作コマンドを受信して、前記不揮発性メモリに書き込み、
前記制御部は、前記通信モード情報が前記親機モードを示す場合、前記高速無線通信部を前記親機モードで動作させ、前記通信モード情報が前記子機モードを示す場合、前記高速無線通信部を子機モードで動作させる請求項２又は３記載の通信装置。
【請求項５】
前記近接無線通信部は、前記携帯端末が前記高速無線通信の中継器に接続されている場合、前記携帯端末から前記中継器を接続先とする第２接続先識別子を受信して、前記動作コマンドとして前記不揮発性メモリに書き込み、
前記制御部は、前記第２接続先識別子が前記不揮発性メモリに書き込まれていない場合、前記高速無線通信部を前記親機モードで動作させ、前記第２接続先識別子が前記不揮発性メモリに書き込まれた場合、前記高速無線通信部を子機モードで動作させる請求項２又は３記載の通信装置。
【請求項６】
前記制御部は、前記主電源部が起動した後、前記不揮発性メモリから前記動作コマンドを読み出して、前記高速無線通信部の通信モードを切り替える請求項２〜５のいずれかに記載の通信装置。
【請求項７】
前記近接無線通信部は、前記主電源部が起動する前に前記動作コマンドを前記不揮発性メモリに書き込み、
前記制御部は、前記主電源部が起動した後に前記不揮発性メモリから前記動作コマンドを読み出す請求項１〜６のいずれかに記載の通信装置。
【請求項８】
携帯端末と、前記携帯端末に対して通信可能に構成された通信装置とを備える通信システムであって、
前記携帯端末は、
前記携帯端末から送信される近接無線通信の電波によって起動する近接無線電源部と、
前記近接無線電源部から供給される電力によって駆動し、前記通信装置の動作コマンドを記憶する不揮発性メモリと、
前記近接無線電源部から供給される電力によって駆動し、前記携帯端末と近接無線通信を行う近接無線通信部と、
前記近接無線通信部により受信された信号に基づいて起動する主電源部と、
前記主電源部から供給される電力によって駆動し、前記不揮発性メモリから前記動作コマンドを読み出して実行する制御部とを備え、
前記近接無線通信部は、前記携帯端末から送信された前記動作コマンドを前記不揮発性メモリに書き込む通信システム。
【請求項９】
通信装置と通信可能に構成された携帯端末であって、
前記通信装置と近接無線通信を行う近接無線通信部と、
前記近接無線通信よりも高速である高速無線通信を行う高速無線通信部と、
前記高速無線通信の中継器に前記携帯端末が接続されている場合、親機となる前記携帯端末に前記通信装置を接続させる子機モードを示す動作コマンドを、前記近接無線通信部を介して前記通信装置に送信し、前記通信装置が備える不揮発性メモリに前記動作コマンドを書き込ませる制御部とを備える携帯端末。
【請求項１０】
通信装置と通信可能に構成された携帯端末としてコンピュータを機能させるプログラムであって、
前記通信装置と近接無線通信を行う近接無線通信部と、
前記近接無線通信よりも高速である高速無線通信を行う高速無線通信部と、
前記高速無線通信の中継器に前記携帯端末が接続されている場合、親機となる前記携帯端末に前記通信装置を接続させる子機モードを示す動作コマンド及び前記中継器を接続先とする接続先識別子を、前記近接無線通信部を介して前記通信装置に送信し、前記通信装置が備える不揮発性メモリに前記動作コマンド及び前記接続先識別子を書き込ませる制御部としてコンピュータを機能させるプログラム。
【請求項１１】
携帯端末と通信可能に構成され、前記携帯端末にプログラムを送信するサーバであって、
前記プログラムは、請求項１０記載のプログラムであるサーバ。 
【国際調査報告】
2014057634.tif 000023
2014057634.tif 000024
2014057634.tif 000025
2014057634.tif 000026
2014057634.tif 000027